(57)【要約】【課題】本考案は、デザイン性を有し、マスクとのフィット感を高めると共に、マスクに対する着脱性能を向上させ得る、マスクカバーを提供することを課題とする。【解決手段】本考案は、マスクの表面側に着脱可能なマスクカバー１であって、マスクカバー本体部１０と、マスクカバー本体部１０をマスクの表面側に着脱すべく設けられた着脱部２０とを用いて構成されており、マスクカバー本体部１０の中央部には、マスクカバー本体部１０を横方向に伸長可能とする縦方向の折り目が形成され、着脱部２０が、マスクの耳かけ部に対して着脱可能なように、マスクカバー本体部１０の四つの角部あるいはその近傍に設けられていることを特徴としている。【選択図】図１
0003155845.tif 000002
【実用新案登録請求の範囲】
【請求項１】
マスクの表面側に着脱可能なマスクカバーであって、
マスクカバー本体部と、前記マスクカバー本体部を前記マスクの表面側に着脱すべく設けられた着脱部とを用いて構成されており、
前記マスクカバー本体部の中央部には、前記マスクカバー本体部を横方向に伸長可能とする縦方向の折り目が形成され、
前記着脱部が、前記マスクの耳かけ部に対して着脱可能なように、前記マスクカバー本体部の四つの角部あるいはその近傍に設けられている
ことを特徴とするマスクカバー。
【請求項２】
前記着脱部が、リング状の着脱本体部を用いて構成されており、前記着脱本体部の一部には、前記マスクの耳かけ部に対して着脱可能となるべく着脱間隙部が形成されている
請求項１に記載のマスクカバー。
【請求項３】
前記着脱部が、渦巻状の着脱本体部を用いて構成されており、前記着脱本体部の外周部には、前記マスクの耳かけ部に対して着脱可能となるべく着脱間隙部が形成され、前記着脱本体部の中央部には着脱中央保持部が形成されている
請求項１に記載のマスクカバー。
【請求項４】
前記着脱部を構成する前記着脱間隙部が、前記マスクカバー本体部の中央部方向に開口している
請求項２または３に記載のマスクカバー。
【請求項５】
前記折り目が、襞状の凹凸形状を繰り返して構成されており、
前記折り目の裏側に位置する折り返し部に、空気孔部が穿孔されている
請求項１から４のいずれか１項に記載のマスクカバー。
【考案の詳細な説明】
【技術分野】
【０００１】
本考案は、マスクの表面側に着脱可能に構成されたマスクカバーに関するものである。
【背景技術】
【０００２】
近年、花粉症の予防や風邪・インフルエンザ等の予防（および感染防止）のために、マスクの使用頻度は高まるばかりである。
【０００３】
通常使用されるマスクは、口および鼻を覆うべく形成されたマスク本体部と、このマスク本体部を顔面に保持するために耳にかけられる耳かけ部とを用いて構成されている。マスク本体部は、通気性を有する矩形の布・紙・化学繊維等を用いて構成されている。また、耳かけ部は、マスク本体部と同様の部材あるいはゴム等を用いて構成されている。
【０００４】
上記のように構成されるマスクは、使用することによって（マスクを顔面に保持することによって）、口および鼻がマスク（マスク本体部）にて覆われることとなるため、花粉やウイルス等の人体への侵入を防ぐと共に、マスク使用者自身が保有する唾液やウイルスの飛散・拡散を防止することができる。
【先行技術文献】
【特許文献】
【０００５】
【特許文献１】登録実用新案第３０６２３５８号公報
【考案の概要】
【考案が解決しようとする課題】
【０００６】
上述した従来技術にかかるマスクは、一般的に無地で白色である。つまり、従来技術にかかるマスクは、デザイン性に乏しいため、洋服や装飾品とのコーディネートが困難である。
【０００７】
このようなことから、従来技術においては、マスクのデザイン性を高めるためのマスクカバー（特許文献１参照）も提案されている。
【０００８】
しかしながら、従来技術にかかるマスクカバーは、単に矩形のマスクカバーに何等かのデザインを施しただけであるため、マスクとのフィット感に乏しい。つまり、マスクとマスクカバーとの間に隙間が生じてしまい、効果的にマスクカバーとしての機能を発揮することができない場合があるという問題があった。
【０００９】
また、従来技術にかかるマスクカバーは、マスクに装着する際、マスクカバーの端部をマスクの外周に対して折り返す必要があるため、マスクカバーの着脱方法が煩雑であるという問題があった。
【００１０】
そこで、本考案は、上記従来技術の問題を解決するためになされたものであり、デザイン性を有し、マスクとのフィット感を高める、マスクカバーを提供することを課題とする。また、本考案は、上記従来技術の問題を解決するためになされたものであり、デザイン性を有し、マスクとのフィット感を高めると共に、マスクに対する着脱性能を向上させ得る（着脱が容易であると共に、装着時の保持性能を高める）、マスクカバーを提供することを課題とする。
【課題を解決するための手段】
【００１１】
本考案は、上記課題を解決するためになされたものであり、マスクの表面側に着脱可能なマスクカバーであって、マスクカバー本体部と、前記マスクカバー本体部を前記マスクの表面側に着脱すべく設けられた着脱部とを用いて構成されており、前記マスクカバー本体部の中央部には、前記マスクカバー本体部を横方向に伸長可能とする縦方向の折り目が形成されていることを特徴としている。
【００１２】
このような構成によれば、前記マスクカバー本体部に縦方向の折り目が形成されているため、前記マスクカバーを前記マスクに装着した際に、前記マスクの形状あるいは使用者の鼻の形状等に応じて、前記マスクカバー本体部が伸長することとなる。したがって、このような構成によれば、マスクとのフィット感を高めるマスクカバーを得ることができる。加えて、本考案にかかるマスクカバーは、前記着脱部を有することにより、どのようなマスクに対しても後付け可能であるため、前記マスクカバー本体部については、事前にどのようなデザインを施すこともできる。施すデザインは、文字や図形（幾何学模様、植物、動物等）等、どのようなデザインであってもよい。
【００１３】
また、本考案にかかるマスクカバーにおいては、前記着脱部が、前記マスクの耳かけ部に対して着脱可能なように、前記マスクカバー本体部の四つの角部あるいはその近傍に設けられている構成が好ましい。
【００１４】
通常、前記マスクの両端部には前記耳かけ部が設けられており、その耳かけ部を両耳にかけることによって、使用者の顔面部にて前記マスクが保持される。そこで、本考案においては、この耳かけ部に着目し、前記マスクの四箇所に設けられた前記耳かけ部端部に対して着脱可能な前記着脱部を、前記マスクカバー本体部の四つの角部あるいはその近傍に設けている。このような構成とすることによって、前記マスクカバー本体部自身を折り曲げ等することなく、比較的容易に、前記マスクに対して前記マスクカバーを着脱することができる。
【００１５】
さらに、本考案にかかるマスクカバーにおいては、前記着脱部が、リング状の着脱本体部を用いて構成されており、前記着脱本体部の一部には、前記マスクの耳かけ部に対して着脱可能となるべく着脱間隙部が形成されている構成が好ましい。
【００１６】
この好ましい構成によれば、前記着脱部を成す前記着脱間隙部が、前記耳かけ部（を成す紐部等）を挿入可能な間隔に形成されている。したがって、このような構成によれば、前記着脱間隙部に対して前記耳かけ部を装着（挿入）・離脱させることによって、容易に、前記マスクに対する前記マスクカバーの着脱作業を行うことができる。
【００１７】
また、本考案にかかるマスクカバーにおいては、前記着脱部が、渦巻状の着脱本体部を用いて構成されており、前記着脱本体部の外周部には、前記マスクの耳かけ部に対して着脱可能となるべく着脱間隙部が形成され、前記着脱本体部の中央部には着脱中央保持部が形成されている構成が好ましい。
【００１８】
この好ましい構成によれば、前記着脱部を成す前記着脱間隙部が、前記耳かけ部（を成す紐部等）を挿入可能な間隔に形成されている。したがって、このような構成によれば、前記着脱間隙部に対して前記耳かけ部を装着（挿入）・離脱させることによって、容易に、前記マスクに対する前記マスクカバーの着脱作業を行うことができる。加えて、このような構成によれば、前記着脱本体部が渦巻状であって、その中央部には着脱中央保持部が形成されている。つまり、このような構成によれば、前記着脱間隙部から挿入された前記耳かけ部は、渦巻状の前記着脱本体部に沿って前記着脱中央保持部に至ることとなる。したがって、本考案によれば、渦巻状に形成された前記着脱部を有することによって、着脱が容易であると共に、装着時の保持性能が高い、マスクカバーを得ることができる。
【００１９】
さらに、本考案にかかるマスクカバーにおいては、前記着脱部を構成する前記着脱間隙部が、前記マスクカバー本体部の中央部方向に開口している構成が好ましい。
【００２０】
前記耳かけ部は、前記マスクから使用者の耳に向かって構成されているため、前記着脱部に装着（挿入）された後、前記着脱本体部と前記耳かけ部とは、前記マスクの外側方向にて接することが多い。このような使用状態に着目し、本考案においては、前記着脱間隙部を、前記マスクカバー本体部の中央部方向に開口すべく構成している。つまり、このような構成によれば、前記マスクカバー使用時において、前記着脱本体部と前記耳かけ部とが接触する可能性が低い箇所（前記マスクカバー本体部の中央部方向）に開口部たる前記着脱間隙部が設けられているため、前記耳かけ部が前記着脱部から安易に離脱することはない。したがって、このような構成によれば、着脱が容易であると共に、装着時の保持性能が高い、マスクカバーを得ることができる。
【００２１】
また、本考案にかかるマスクカバーにおいては、前記折り目が、襞状の凹凸形状を繰り返して構成されており、前記折り目の裏側に位置する折り返し部に、空気孔部が穿孔されている構成が好ましい。
【００２２】
この好ましい構成によれば、前記マスクカバー本体部の中央部に設けられた折り目（の折り返し部）に、前記空気孔部が穿孔されているため、前記マスクカバーの通気性がより高まる。加えて、このような構成によれば、「折り返し部」に前記空気孔部が形成され、「表面部」には前記空気孔部は形成されていない。つまり、このような構成によれば、より外気に接触しやすい箇所（「表面部」）については前記空気孔部は設けられていないため、花粉やウイルス等の侵入を効果的に防ぎつつ呼吸しやすい、マスクカバーを得ることができる。
【００２３】
さらに、本考案にかかるマスクカバーにおいては、少なくとも前記マスクカバー本体部の外気接触面側には、光触媒が担持されている構成が好ましい。
【００２４】
この好ましい構成によれば、少なくとも前記マスクカバー本体部の外気接触面側に光触媒が担持されているため、太陽光や室内照明によって、効果的に光触媒機能を利用することができる。すなわち、本考案によれば、この光触媒を担持したことによって、消臭、脱臭、抗菌、除菌等の空気清浄機能を発揮し得る、マスクカバーを得ることができる。
【００２５】
また、本考案にかかるマスクカバーにおいては、前記マスクカバー本体部の上部領域および下部領域の少なくとも一方の領域が、凸部領域を有すべく構成されていることが好ましい。
【００２６】
この好ましい構成によれば、前記マスクの形状に関わらず、必要に応じて、使用者の鼻部あるいは顎部等を適切に覆うことが可能なマスクカバーを得ることができる。
【考案の効果】
【００２７】
本考案によれば、デザイン性を有し、マスクとのフィット感を高める、マスクカバーを得ることができる。また、本考案によれば、デザイン性を有し、マスクとのフィット感を高めると共に、マスクに対する着脱性能を向上させ得る、マスクカバーを得ることができる。
【図面の簡単な説明】
【００２８】
【図１】本考案の第一実施形態にかかるマスクカバーの概略図を示したものである。
【図２】本考案の第一実施形態にかかるマスクカバーの使用状態説明図を示したものであって、図２（ａ）は使用者がマスクのみを装着している状態の概略斜視図を示し、図２（ｂ）は使用者がマスクおよびマスクカバーを装着している状態の概略斜視図を示している。
【図３】本考案の第二実施形態にかかるマスクカバーの概略図を示したものである。
【図４】本考案の第二実施形態にかかるマスクカバーの使用状態説明図を示したものである。
【図５】本考案の第三実施形態にかかるマスクカバーの概略図を示したものである。
【図６】本考案の第三実施形態にかかるマスクカバーの使用状態説明図を示したものである。
【図７】本考案の第四実施形態にかかるマスクカバーの概略図を示したものである。
【図８】本考案の第五実施形態にかかるマスクカバーの概略図および使用状態説明図を示したものであって、図８（ａ）はマスクカバーの概略図を示し、図８（ｂ）は使用状態説明図を示している。
【図９】本考案の第六実施形態にかかるマスクカバーの概略図を示したものである。
【図１０】本考案の第七実施形態にかかるマスクカバーの概略図を示したものである。
【考案を実施するための形態】
【００２９】
以下、図面に基づいて、本考案の実施形態を説明する。
【００３０】
＜第一実施形態＞
図１は、本考案の第一実施形態にかかるマスクカバーの概略図を示したものである。この図１においては、円形破線領域（マスクカバーを構成する着脱部およびその近傍）の拡大図を下方位置に示している。また、図２は、本考案の第一実施形態にかかるマスクカバーの使用状態説明図を示したものであって、図２（ａ）は使用者がマスクのみを装着している状態の概略斜視図を示し、図２（ｂ）は使用者がマスクおよびマスクカバーを装着している状態の概略斜視図を示している。
【００３１】
図１等に示すように、本実施形態にかかるマスクカバー１は、マスクカバー本体部１０と、このマスクカバー本体部１０の四隅にそれぞれ一つずつ設けられた第一着脱部２０（本考案の「着脱部」に相当）とを用いて構成されている。
【００３２】
本実施形態にかかるマスクカバー１を構成するマスクカバー本体部１０は、比較的通気性の高い素材（あるいは構造）にて構成されており、例えば、布、紙、不織布、自然繊維、化学繊維等が用いられる。また、このマスクカバー本体部１０は、平滑面として形成されたマスクカバー左側部１１とマスクカバー右側部１２、および伸長可能なマスクカバー中央部１３とを用いて構成されている。さらに、このマスクカバー本体部１０は、装着が予定されるマスクの全面を覆うことが可能な大きさに構成されている。
【００３３】
また、本実施形態においては、少なくともマスクカバー本体部１０の外気接触面側には、光触媒が担持されている。
【００３４】
上述した「光触媒」とは、紫外線等の光エネルギーによって活性化されて、その表面の物質を酸化することによって、種々の有機物を分解することにより、抗菌作用、除菌作用、脱臭作用等の効果を発揮し得る物質である。この「光触媒」としては、例えば、酸化チタン、酸化亜鉛、および酸化ジルコニウム等の少なくとも一つを用いたものが使用される（つまり、これらのいずれか一つを用いることも、また複合的に用いることも可能である。）。
【００３５】
本実施形態においては、マスクカバー本体部１０が、布、紙、不織布、自然繊維、化学繊維等のいずれか、あるいはこれらを組み合わせ構成されており、その表面（外気接触面側）には、酸化チタン層が形成されている。
【００３６】
この酸化チタン層は、例えば、マスクカバー本体部１０の表面に酸化チタン溶液を塗布する塗布工程と、塗布した酸化チタン溶液を乾燥させる乾燥工程とを複数回行うことによって形成される。例えば、マスクカバー本体部１０の表面に対して、スプレーあるいは刷毛等を用いて酸化チタン溶液を塗布し（塗布工程）、その後、ドライヤ、送風機、あるいは自然乾燥によって酸化チタン溶液を乾燥させる（乾燥工程）。これらの塗布工程および乾燥工程を複数回（例えば２〜３回）繰り返すことによって、光触媒が担持されたマスクカバー本体部１０が構成される。
【００３７】
マスクカバー左側部１１およびマスクカバー右側部１２には、それぞれデザイン（左側装飾部３１および右側装飾部３２）が施されている。本実施形態においては、左右装飾部３１，３２として、五本の水草のような模様が左右対称に描かれている。
【００３８】
また、本実施形態にかかるマスクカバー１を構成するマスクカバー中央部１３には、図１等に示すように、マスクカバー本体部１０を横方向に伸長可能とする縦方向の折り目が形成されている。具体的には、このマスクカバー中央部１３には、山折・谷折の凹凸形状が繰り返し形成されている（いわゆる、蛇腹状に構成されている）。このような構成に基づき、マスクカバー中央部１３は、必要に応じて横方向に伸長可能であるため、マスクカバー１をマスクに装着する際、マスクカバー１はマスクの表面に適切にフィットする。
【００３９】
本実施形態にかかるマスクカバー１を構成する第一着脱部２０（着脱部）は、上述したように、マスクカバー本体部１０の四隅にそれぞれ一つずつ設けられており、具体的には、図１の拡大図（円形破線領域）に示すべく構成されている。
【００４０】
本実施形態にかかる第一着脱部２０は、リングの一部に空隙部を有する、いわゆる「Ｃ字形状」に構成されている。つまり、図１に示すように、着脱本体部２１と着脱間隙部２２とを用いて、第一着脱部２０が構成されている。後述すべく、この着脱間隙部２２を介して、マスクの耳かけ部が挿入（装着）・離脱されることとなる。
【００４１】
また、本実施形態にかかる第一着脱部２０は、例えば、可撓性を有する材料を用いて構成されていることが好ましい。具体的には、本実施形態にかかる第一着脱部２０は、合成樹脂、ゴム等を用いて構成されている。
【００４２】
本実施形態にかかるマスクカバー１は、以上のように構成されており、その構成に基づき、次のような作用効果を有する。以下、図１および図２を用いて、本実施形態にかかるマスクカバー１の使用方法、作用効果等を説明する。
【００４３】
図２（ａ）に示すように、通常、マスクＭを使用する場合には、使用者Ｈの口と鼻とを覆うようにマスクＭを装着し、マスクＭに設けられた耳かけ部Ｇを両耳に係止して、マスクＭを顔面に保持する。また、図２（ａ）に示すように、従来技術にかかるマスクＭは、無地・白色であるのが一般的である。ここで、耳かけ部Ｇは、例えば、ゴム紐等にて構成されている。
【００４４】
本実施形態にかかるマスクカバー１は、このような従来技術のマスクＭに対し、その表面側全面を覆うように構成されたものである（図２（ｂ）参照）。この図２（ｂ）においては、マスクＭの大きさを破線（かくれ線）にて示している。
【００４５】
この図２（ｂ）に示すように、本実施形態にかかるマスクカバー１をマスクＭの表面に接するべく装着する際には、マスクＭの四隅に設けられた第一着脱部２０の着脱間隙部２２から第一着脱部２０内に耳かけ部Ｇを挿入させる。マスクＭの四隅に設けられた耳かけ部Ｇの全てを四つの第一着脱部２０内に保持することによって、本実施形態によれば、図２（ｂ）に示すように、マスクカバー１を適切にマスクＭの表面側に接した状態で装着することができる。
【００４６】
また、本実施形態にかかるマスクカバー１をマスクＭの表面から離脱させる際には、第一着脱部２０内に挿入された耳かけ部Ｇを、着脱間隙部２２から第一着脱部２０外に取り出す。つまり、四つの第一着脱部２０内から、全ての耳かけ部Ｇを取り外すことによって、マスクＭからマスクカバー１を離脱させることができる。
【００４７】
本実施形態においては、上述した装着方法に基づいて、マスクＭにマスクカバー１が装着され（すなわち、図２（ｂ）に示すような状態とされ）、この状態にてマスクカバー１が継続して使用される。そして、マスクＭの交換（マスクＭの破棄による交換等）、あるいはマスクカバー１の交換（デザイン変更、マスクカバー１の洗浄等による交換等）を行う場合には、上述した離脱方法に基づいて、マスクＭからマスクカバー１が離脱され、必要な交換作業、洗浄作業等が行われる。
【００４８】
本実施形態にかかるマスクカバー１は、以上のように構成および使用されるため、次のような作用効果を有する。
【００４９】
本実施形態にかかるマスクカバー１は、マスクＭの表面側に着脱可能なマスクカバー１であって、マスクカバー本体部１０と、マスクカバー本体部１０をマスクＭの表面側に着脱すべく設けられた第一着脱部２０（着脱部）とを用いて構成されており、マスクカバー本体部１０の中央部には、マスクカバー本体部１０を横方向に伸長可能とする縦方向の折り目が形成されたマスクカバー中央部１３を有することを特徴としている。
【００５０】
このような構成によれば、マスクカバー本体部１０に縦方向の折り目が形成されているため、マスクカバー１をマスクＭに装着した際に、マスクＭの形状あるいは使用者Ｈの鼻の形状等に応じて、マスクカバー本体部１０が伸長することとなる。したがって、このような構成によれば、マスクＭとのフィット感を高めるマスクカバー１を得ることができる。
【００５１】
加えて、本実施形態にかかるマスクカバー１は、第一着脱部２０を有することにより、どのようなマスクに対しても容易に着脱可能であって、マスクカバー本体部１０については、事前にどのようなデザインを施すこともできる。デザインは、文字や図形（幾何学模様、植物、動物等）等、どのようなものであってもよいが、本実施形態においては、五本の水草のような模様が左右対称に描かれている。本実施形態にかかるマスクカバー１は、上述したように、様々な図形や模様等が施されていることを特徴とするため、デザイン性に優れ、洋服や装飾品とのコーディネートを効果的に行うことができる。
【００５２】
また、本実施形態にかかるマスクカバー１は、第一着脱部２０が、マスクＭの耳かけ部Ｇに対して着脱可能なように、マスクカバー本体部１０の四つの角部あるいはその近傍に設けられている。
【００５３】
マスクＭの両端部には耳かけ部Ｇが設けられており、その耳かけ部Ｇを両耳にかけることによって、使用者Ｈの顔面部にてマスクＭが保持される。そこで、本実施形態においては、この耳かけ部Ｇに着目し、マスクＭの四箇所に設けられた耳かけ部Ｇ端部に対して着脱可能な第一着脱部２０を、マスクカバー本体部１０の四つの角部あるいはその近傍に設けている。このような構成とすることによって、マスクカバー本体部１０自身を折り曲げ等することなく、比較的容易に、マスクＭに対してマスクカバー１を着脱することができる。
【００５４】
さらに、本実施形態にかかるマスクカバー１は、第一着脱部２０が、リング状の着脱本体部２１を用いて構成されており、着脱本体部２１の一部には、マスクＭの耳かけ部Ｇに対して着脱可能となるべく着脱間隙部２２が形成されている。
【００５５】
このような構成によれば、第一着脱部２０を成す着脱間隙部２２が、耳かけ部Ｇ（を成す紐部等）を挿入可能な間隔に形成されている。したがって、このような構成によれば、着脱間隙部２２に対して耳かけ部Ｇを装着（挿入）・離脱させることによって、容易に、マスクＭに対するマスクカバー１の着脱作業を行うことができる。
【００５６】
また、本実施形態にかかるマスクカバー１は、少なくともマスクカバー本体部１０の外気接触面側には、光触媒が担持されている。
【００５７】
このような構成によれば、少なくともマスクカバー本体部１０の外気接触面側に光触媒が担持されているため、太陽光や室内照明によって、効果的に光触媒機能を利用することができる。すなわち、本実施形態によれば、この光触媒を担持したことによって、消臭、脱臭、抗菌、除菌等の空気清浄機能を発揮し得る、マスクカバー１０を得ることができる。
【００５８】
以上説明したように、本実施形態によれば、デザイン性を有し、マスクＭとのフィット感を高めると共に、マスクＭに対する着脱性能を向上させ得る、マスクカバー１を得ることができる。
【００５９】
＜第二実施形態＞
次に、本考案の第二実施形態について説明する。
【００６０】
図３は、本考案の第二実施形態にかかるマスクカバーの概略図を示したものである。また、図４は、本考案の第二実施形態にかかるマスクカバーの使用状態説明図を示したものである。
【００６１】
なお、この図３および図４においては、図面の煩雑化を防ぐために、マスクカバー本体部に施される「デザイン」の記載は省略している。この第二実施形態にかかるマスクカバーにおいても、第一実施形態と同様、「デザイン」を施すことは特徴の一つである。したがって、この図３および図４においては省略しているが、当然のことながら、本実施形態にかかるマスクカバーに対して、文字や図形（幾何学模様、植物、動物等）等、どのようなデザインを施したものも、本考案の技術的範囲に属する。
【００６２】
また、この第二実施形態においては、第一実施形態と同様の構成要素については、同様の符号を付し、その説明を省略する場合もある。符号が同様である場合、特に説明がなければ、その構成および効果は、第一実施形態と同様である。
【００６３】
図３等に示すように、本実施形態にかかるマスクカバー１００は、マスクカバー本体部１１０と、このマスクカバー本体部１１０の四隅にそれぞれ一つずつ設けられた第一着脱部２０（本考案の「着脱部」に相当）とを用いて構成されている。
【００６４】
本実施形態にかかるマスクカバー１００を構成するマスクカバー本体部１１０は、比較的通気性の高い素材（あるいは構造）にて構成されており、例えば、布、紙、不織布、自然繊維、化学繊維等が用いられる。また、このマスクカバー本体部１１０は、平滑面として形成されたマスクカバー左側部１１１とマスクカバー右側部１１２、および伸長可能なマスクカバー中央部１１３とを用いて構成されている。さらに、このマスクカバー本体部１１０は、装着が予定されるマスクの全面を覆うことが可能な大きさに構成されている。
【００６５】
また、本実施形態においては、少なくともマスクカバー本体部１１０の外気接触面側には、光触媒が担持されている。この「光触媒」の構成および効果等は、第一実施形態と同様であるため、ここでは、その記載を省略する。
【００６６】
マスクカバー左側部１１１およびマスクカバー右側部１１２には、それぞれデザイン（図示省略）が施されている。ここで施されるデザインは、文字や図形（幾何学模様、植物、動物等）等、どのようなデザインであってもよい。
【００６７】
また、本実施形態にかかるマスクカバー１００を構成するマスクカバー中央部１１３には、図３等に示すように、マスクカバー本体部１１０を横方向に伸長可能とする縦方向の折り目が形成されている。具体的には、このマスクカバー中央部１１３には、襞状の凹凸形状が繰り返し形成されている。本実施形態においては、襞状の凹凸形状の表面側に位置する部分を中央表面部１１３Ａ（本考案の「表面部」に相当）とし、襞状の凹凸形状の折り返された側に位置する部分を中央折り返し部１１３Ｂ（本考案の「折り返し部」に相当）としている。このような構成に基づき、マスクカバー中央部１１３は、必要に応じて横方向に伸長可能であるため、マスクカバー１００をマスクに装着する際、マスクカバー１００はマスクの表面に適切にフィットする。
【００６８】
本実施形態にかかるマスクカバー１００を構成する第一着脱部２０（本考案の「着脱部」に相当）は、第一実施形態と同様の構成および作用効果を有するため、ここではその説明を省略する。
【００６９】
本実施形態にかかるマスクカバー１００は、以上のように構成されており、その構成に基づき、種々の作用効果を有する。以下、図３および図４（必要に応じて図１および図２）を用いて、本実施形態にかかるマスクカバー１００の使用方法、作用効果等を説明する。
【００７０】
本実施形態にかかるマスクカバー１００の使用方法（装着方法、離脱方法）は、第一実施形態と同様であるため、ここではその説明を省略する。
【００７１】
本実施形態にかかるマスクカバー１００は、マスクＭの表面側に着脱可能なマスクカバー１００であって、マスクカバー本体部１１０と、マスクカバー本体部１１０をマスクＭの表面側に着脱すべく設けられた第一着脱部２０（着脱部）とを用いて構成されており、マスクカバー本体部１１０の中央部には、マスクカバー本体部１１０を横方向に伸長可能とする縦方向の折り目（襞状の凹凸形状が繰り返されて得られる折り目）が形成されたマスクカバー中央部１１３を有することを特徴としている。
【００７２】
このような構成によれば、マスクカバー本体部１１０に縦方向の折り目が形成されているため、マスクカバー１００をマスクＭに装着した際に、マスクＭの形状あるいは使用者Ｈの鼻の形状等に応じて、マスクカバー本体部１１０が伸長することとなる。したがって、このような構成によれば、マスクＭとのフィット感を高めるマスクカバー１００を得ることができる。（図４参照）
【００７３】
また、本実施形態にかかるマスクカバー１００は、上述したマスクカバー中央部１１３以外の構成は、第一実施形態と同様であるため、第一実施形態にて説明した全ての作用効果を得ることができる。
【００７４】
したがって、本実施形態によれば、デザイン性を有し、マスクＭとのフィット感を高めると共に、マスクＭに対する着脱性能を向上させ得る、マスクカバー１００を得ることができる。
【００７５】
＜第三実施形態＞
次に、本考案の第三実施形態について説明する。
【００７６】
図５は、本考案の第三実施形態にかかるマスクカバーの概略図を示したものである。また、図６は、本考案の第三実施形態にかかるマスクカバーの使用状態説明図を示したものである。
【００７７】
なお、第二実施形態と同様、この図５および図６においても、図面の煩雑化を防ぐために、マスクカバー本体部に施される「デザイン」の記載は省略している。この第三実施形態にかかるマスクカバーにおいても、第一および第二実施形態と同様、「デザイン」を施すことは特徴の一つである。したがって、この図５および図６においては省略しているが、当然のことながら、本実施形態にかかるマスクカバーに対して、文字や図形（幾何学模様、植物、動物等）等、どのようなデザインを施したものも、本考案の技術的範囲に属する。
【００７８】
また、この第三実施形態においては、第二実施形態（および第一実施形態）と同様の構成要素については、同様の符号を付し、その説明を省略する場合もある。符号が同様である場合、特に説明がなければ、その構成および効果は、第二実施形態（および第一実施形態）と同様である。
【００７９】
図５等に示すように、本実施形態にかかるマスクカバー２００は、マスクカバー本体部１１０と、このマスクカバー本体部１１０の四隅にそれぞれ一つずつ設けられた第一着脱部２０（本考案の「着脱部」に相当）とを用いて構成されている。
【００８０】
本実施形態にかかるマスクカバー２００を構成するマスクカバー本体部１１０は、比較的通気性の高い素材（あるいは構造）にて構成されており、例えば、布、紙、不織布、自然繊維、化学繊維等が用いられる。また、このマスクカバー本体部１１０は、平滑面として形成されたマスクカバー左側部１１１とマスクカバー右側部１１２、および伸長可能なマスクカバー中央部１１３とを用いて構成されている。さらに、このマスクカバー本体部１１０は、装着が予定されるマスクの全面を覆うことが可能な大きさに構成されている。
【００８１】
また、本実施形態においては、少なくともマスクカバー本体部１１０の外気接触面側には、光触媒が担持されている。この「光触媒」の構成および効果等は、第一実施形態と同様であるため、ここでは、その記載を省略する。
【００８２】
マスクカバー左側部１１１およびマスクカバー右側部１１２には、それぞれデザイン（図示省略）が施されている。ここで施されるデザインは、文字や図形（幾何学模様、植物、動物等）等、どのようなデザインであってもよい。
【００８３】
また、本実施形態にかかるマスクカバー２００を構成するマスクカバー中央部１１３には、図５等に示すように、マスクカバー本体部１１０を横方向に伸長可能とする縦方向の折り目が形成されている。具体的には、このマスクカバー中央部１１３には、襞状の凹凸形状が繰り返し形成されている。本実施形態においては、襞状の凹凸形状の表面側に位置する部分を中央表面部１１３Ａ（本考案の「表面部」に相当）とし、襞状の凹凸形状の折り返された側に位置する部分を中央折り返し部１１３Ｂ（本考案の「折り返し部」に相当）としている。このような構成に基づき、マスクカバー中央部１１３は、必要に応じて横方向に伸長可能であるため、マスクカバー２００をマスクに装着する際、マスクカバー２００はマスクの表面に適切にフィットする。
【００８４】
さらに、本実施形態においては、マスクカバー２００を構成する中央折り返し部１１３Ｂ（折り返し部）に、中央空気孔部２１３（本考案の「空気孔部」に相当）が穿孔されている。
【００８５】
本実施形態にかかるマスクカバー２００を構成する第一着脱部２０（本考案の「着脱部」に相当）は、第一および第二実施形態と同様の構成および作用効果を有するため、ここではその説明を省略する。
【００８６】
本実施形態にかかるマスクカバー２００は、以上のように構成されており、その構成に基づき、種々の作用効果を有する。以下、図５および図６（必要に応じて図１〜図４）を用いて、本実施形態にかかるマスクカバー２００の使用方法、作用効果等を説明する。
【００８７】
本実施形態にかかるマスクカバー２００の使用方法（装着方法、離脱方法）は、第一および第二実施形態と同様であるため、ここではその説明を省略する。
【００８８】
本実施形態にかかるマスクカバー２００においては、マスクカバー中央部１３の折り目が、襞状の凹凸形状を繰り返して構成されており、この折り目の裏側に位置する中央折り返し部１１３Ｂに、中央空気孔部２１３が穿孔されている。
【００８９】
このような構成によれば、マスクカバー本体部１１０の中央部に設けられた折り目の中央折り返し部１１３Ｂに、中央空気孔部２１３が穿孔されているため、マスクカバー２００の通気性がより高まる。加えて、このような構成によれば、中央折り返し部１１３Ｂに中央空気孔部２１３が形成され、中央表面部１１３Ａにはこのような空気孔部は形成されていない。つまり、このような構成によれば、より外気に接触しやすい箇所（中央表面部１１３Ａ）については中央空気孔部２１３は設けられていないため、花粉やウイルス等の侵入を効果的に防ぎつつ呼吸しやすい、マスクカバー２００を得ることができる。
【００９０】
また、本実施形態にかかるマスクカバー２００は、上述したマスクカバー中央部１１３の中央折り返し部１１３Ｂに穿孔された中央空気孔部２１３（空気孔部）以外の構成は、第二実施形態と同様であるため、第二実施形態にて説明した全ての作用効果を得ることができる。
【００９１】
したがって、本実施形態によれば、デザイン性を有し、マスクＭとのフィット感を高めると共に、マスクＭに対する着脱性能を向上させ得る、マスクカバー２００を得ることができる。
【００９２】
＜第四実施形態＞
次に、本考案の第四実施形態について説明する。
【００９３】
図７は、本考案の第四実施形態にかかるマスクカバーの概略図を示したものである。
【００９４】
なお、第二および第三実施形態と同様、この図７においても、図面の煩雑化を防ぐために、マスクカバー本体部に施される「デザイン」の記載は省略している。この第四実施形態にかかるマスクカバーにおいても、第一〜第三実施形態と同様、「デザイン」を施すことは特徴の一つである。したがって、この図７においては省略しているが、当然のことながら、本実施形態にかかるマスクカバーに対して、文字や図形（幾何学模様、植物、動物等）等、どのようなデザインを施したものも、本考案の技術的範囲に属する。
【００９５】
また、この図７から明らかなように、本実施形態にかかるマスクカバー３００は、基本的な構造については、第三実施形態にかかるマスクカバー２００（図５および図６参照）と同様である。異なる点は、マスクカバー左側部１１１およびマスクカバー右側部１１２の構成についてのみである。
【００９６】
そこで、以下においては、主に第三実施形態と異なる構成要素について説明し、第三実施形態と同様の構成要素についてはその説明を省略する。
【００９７】
本実施形態にかかるマスクカバー３００においては、マスクカバー左側部１１１に左側空気孔部３１１が穿孔されており、マスクカバー右側部１１２に右側空気孔部３１２が穿孔されている。図７においては、省略して記載しているが、この空気孔部３１１，３１２は、それぞれ仮想線（二点鎖線）にて表示された領域内に設けられている。
【００９８】
このような構成によれば、より呼吸しやすい（通気性の高い）マスクカバー３００を得ることができる。
【００９９】
また、本実施形態にかかるマスクカバー３００は、先にも説明した通り、上述したマスクカバー本体部１１０の左右領域に設けられた空気孔部３１１，３１２以外の構成は、第三実施形態と同様であるため、第三実施形態にて説明した全ての作用効果を得ることができる。
【０１００】
したがって、本実施形態によれば、デザイン性を有し、マスクＭとのフィット感を高めると共に、マスクＭに対する着脱性能を向上させ得る、マスクカバー３００を得ることができる。
【０１０１】
＜第五実施形態＞
次に、本考案の第五実施形態について説明する。
【０１０２】
図８は、本考案の第五実施形態にかかるマスクカバーの概略図および使用状態説明図を示したものであって、図８（ａ）はマスクカバーの概略図を示し、図８（ｂ）は使用状態説明図を示している。
【０１０３】
なお、第二〜第四実施形態と同様、この図８においても、図面の煩雑化を防ぐために、マスクカバー本体部に施される「デザイン」の記載は省略している。この第五実施形態にかかるマスクカバーにおいても、第一〜第四実施形態と同様、「デザイン」を施すことは特徴の一つである。したがって、この図８においては省略しているが、当然のことながら、本実施形態にかかるマスクカバーに対して、文字や図形（幾何学模様、植物、動物等）等、どのようなデザインを施したものも、本考案の技術的範囲に属する。
【０１０４】
また、この図８から明らかなように、本実施形態にかかるマスクカバー４００は、基本的な構造については、第一実施形態にかかるマスクカバー１（図１および図２参照）と同様である。異なる点は、マスクカバー本体部４１０の形状のみである。
【０１０５】
そこで、以下においては、主に第一実施形態と異なる構成要素について説明し、第一実施形態と同様の構成要素についてはその説明を省略する。
【０１０６】
図８に示すように、本実施形態にかかるマスクカバー４００を構成するマスクカバー本体部４１０は、平滑面として形成されたマスクカバー左側部４１１とマスクカバー右側部４１２、および伸長可能なマスクカバー中央部４１３とを用いて構成されている。さらに、このマスクカバー本体部４１０は、装着が予定されるマスクの全面をより適切に覆うことが可能であるように、上下に突出した凸部領域として、本体部上部領域４１０Ａおよび本体部下部領域４１０Ｂを有している。すなわち、本実施形態にかかるマスクカバー本体部４１０は、第一実施形態にかかるマスクカバー本体部１０（図１および図２参照）と比較して、上下により大きな凸部領域を有している（図８（ａ）参照）。
【０１０７】
本実施形態にかかるマスクカバー４００は、上述したような構成を有するため、図８（ｂ）に示すように、より効果的に、使用者Ｈの鼻部あるいは顎部を覆うことができる。また、このような構成であれば、マスクＭの形状に関わらず（例えば、マスクが若干小さめであっても）、必要に応じて、使用者Ｈの鼻部あるいは顎部を覆うことができる。さらに、顔が小さな使用者Ｈ等においては、必要に応じて（すなわち、自分の顔の大きさやマスクＭの大きさ等に合わせて）、この突出した領域４１０Ａ，４１０Ｂを切断等してから、マスクカバー４００を使用することも可能である。このような構成にかかるマスクカバー４００であれば、非常に汎用性の高いものとなる。
【０１０８】
また、本実施形態にかかるマスクカバー４００は、上述した突出した領域４１０Ａ，４１０Ｂ以外の構成は、第一実施形態と同様であるため、第一実施形態にて説明した全ての作用効果を得ることができる。
【０１０９】
したがって、本実施形態によれば、デザイン性を有し、マスクＭとのフィット感を高めると共に、マスクＭに対する着脱性能を向上させ得る、マスクカバー４００を得ることができる。
【０１１０】
＜第六実施形態＞
次に、本考案の第六実施形態について説明する。
【０１１１】
図９は、本考案の第六実施形態にかかるマスクカバーの概略図を示したものである。
【０１１２】
なお、第二〜第五実施形態と同様、この図９においても、図面の煩雑化を防ぐために、マスクカバー本体部に施される「デザイン」の記載は省略している。この第六実施形態にかかるマスクカバーにおいても、第一〜第五実施形態と同様、「デザイン」を施すことは特徴の一つである。したがって、この図９においては省略しているが、当然のことながら、本実施形態にかかるマスクカバーに対して、文字や図形（幾何学模様、植物、動物等）等、どのようなデザインを施したものも、本考案の技術的範囲に属する。
【０１１３】
また、この図９から明らかなように、本実施形態にかかるマスクカバー５００は、基本的な構造については、第一実施形態にかかるマスクカバー１（図１および図２参照）と同様である。異なる点は、マスクカバー本体部１０の四隅に設けられた第二着脱部６０（本考案の「着脱部」に相当）の取り付け方向のみである。
【０１１４】
そこで、以下においては、主に第一実施形態と異なる構成要素について説明し、第一実施形態と同様の構成要素についてはその説明を省略する。
【０１１５】
本実施形態にかかるマスクカバー５００を構成する第二着脱部６０（着脱部）は、マスクカバー本体部１０の四隅にそれぞれ一つずつ設けられており、具体的には、図９の拡大図（円形破線領域）に示すべく構成されている。
【０１１６】
本実施形態にかかる第二着脱部６０は、リングの一部に空隙部を有する、いわゆる「Ｃ字形状」に構成されている。つまり、図９に示すように、着脱本体部６１と着脱間隙部６２とを用いて、第二着脱部６０が構成されている。そして、この着脱間隙部６２を介して、マスクの耳かけ部が挿入（装着）・離脱されることとなる。
【０１１７】
また、本実施形態にかかる第二着脱部６０は、例えば、可撓性を有する材料を用いて構成されていることが好ましい。具体的には、本実施形態にかかる第二着脱部６０は、合成樹脂、ゴム等を用いて構成されている。
【０１１８】
さらに、本実施形態にかかるマスクカバー５００においては、図９に示すように、第二着脱部６０を構成する着脱間隙部６２が、マスクカバー本体部１０の中央部方向に開口すべく構成されている。
【０１１９】
先にも説明したマスクＭを構成する耳かけ部Ｇは、マスクＭから使用者Ｈの耳に向かって構成されているため、第二着脱部６０に装着（挿入）された後、着脱本体部６１と耳かけ部Ｇとは、マスクＭの外側方向にて接することとなる。このような使用状態に着目し、本考案においては、着脱間隙部６２を、マスクカバー本体部１０の中央部方向に開口すべく構成している。つまり、このような構成によれば、マスクカバー５００使用時において、着脱本体部６１と耳かけ部Ｇとが接触する可能性が低い箇所（マスクカバー本体部１０の中央部方向）に開口部たる着脱間隙部６２が設けられているため、耳かけ部Ｇが第二着脱部６０から安易に離脱することはない。したがって、このような構成によれば、着脱が容易であると共に、装着時の保持性能が高い、マスクカバー５００を得ることができる。
【０１２０】
また、本実施形態にかかるマスクカバー５００は、上述した第二着脱部６０に関する構成以外については、第一実施形態と同様であるため、第一実施形態にて説明した全ての作用効果を得ることができる。
【０１２１】
したがって、本実施形態によれば、デザイン性を有し、マスクＭとのフィット感を高めると共に、マスクＭに対する着脱性能を向上させ得る、マスクカバー５００を得ることができる。
【０１２２】
＜第七実施形態＞
次に、本考案の第七実施形態について説明する。
【０１２３】
図１０は、本考案の第七実施形態にかかるマスクカバーの概略図を示したものである。
【０１２４】
なお、第二〜第六実施形態と同様、この図１０においても、図面の煩雑化を防ぐために、マスクカバー本体部に施される「デザイン」の記載は省略している。この第七実施形態にかかるマスクカバーにおいても、第一〜第六実施形態と同様、「デザイン」を施すことは特徴の一つである。したがって、この図１０においては省略しているが、当然のことながら、本実施形態にかかるマスクカバーに対して、文字や図形（幾何学模様、植物、動物等）等、どのようなデザインを施したものも、本考案の技術的範囲に属する。
【０１２５】
また、この図１０から明らかなように、本実施形態にかかるマスクカバー６００は、基本的な構造については、第一実施形態にかかるマスクカバー１（図１および図２参照）と同様である。異なる点は、マスクカバー本体部１０の四隅に設けられた第三着脱部８０（本考案の「着脱部」に相当）の構成のみである。
【０１２６】
そこで、以下においては、主に第一実施形態と異なる構成要素について説明し、第一実施形態と同様の構成要素についてはその説明を省略する。
【０１２７】
本実施形態にかかるマスクカバー６００を構成する第三着脱部８０（着脱部）は、マスクカバー本体部１０の四隅にそれぞれ一つずつ設けられており、具体的には、図１０の拡大図（円形破線領域）に示すべく構成されている。
【０１２８】
本実施形態にかかる第三着脱部８０は、その一部に空隙部を有する、「渦巻状」に構成されている。つまり、図１０に示すように、渦巻状に構成された着脱本体部８１と、その一部に開口された着脱間隙部８２と、着脱本体部８１中央に設けられた着脱中央保持部８３とを用いて、第三着脱部８０が構成されている。
【０１２９】
そして、マスクＭの耳かけ部Ｇが、この着脱間隙部８２を経て、着脱本体部８１の渦巻状の形状に沿って、着脱中央保持部８３に至ることによって、マスクＭにマスクカバー６００が装着されることとなる。一方、マスクＭの耳かけ部Ｇが、着脱中央保持部８３から、着脱本体部８１の渦巻状の形状に沿って、着脱間隙部８２に至ることによって、マスクＭからマスクカバー６００の離脱が行われることとなる。
【０１３０】
また、本実施形態にかかる第三着脱部８０は、例えば、可撓性を有する材料を用いて構成されていることが好ましい。具体的には、本実施形態にかかる第三着脱部８０は、合成樹脂、ゴム等を用いて構成されている。
【０１３１】
さらに、本実施形態にかかるマスクカバー６００においては、図１０に示すように、第三着脱部８０を構成する着脱間隙部８２が、マスクカバー本体部１０の中央部方向に開口すべく構成されている。
【０１３２】
上述したように、本実施形態によれば、第三着脱部８０を成す着脱本体部８１が渦巻状であって、その中央部には着脱中央保持部８３が形成されている。つまり、このような構成によれば、着脱間隙部８２から挿入された耳かけ部Ｇは、渦巻状の着脱本体部８１に沿って着脱中央保持部８３に至ることとなる。したがって、本実施形態によれば、渦巻状に形成された第三着脱部８０を有することによって、着脱が容易であると共に、装着時の保持性能が高い、マスクカバー６００を得ることができる。
【０１３３】
また、第六実施形態と同様に、本実施形態にかかる第三着脱部８０においても、着脱間隙部８２が、マスクカバー本体部１０の中央部方向に開口すべく構成されている。このような構成によれば、マスクカバー６００使用時において、着脱本体部８１と耳かけ部Ｇとが接触する可能性が低い箇所（マスクカバー本体部１０の中央部方向）に開口部たる着脱間隙部８２が設けられているため、耳かけ部Ｇが第三着脱部８０から安易に離脱することはない。したがって、このような構成によれば、着脱が容易であると共に、装着時の保持性能が高い、マスクカバー６００を得ることができる。
【０１３４】
また、本実施形態にかかるマスクカバー６００は、上述した第三着脱部８０に関する構成以外については、第一実施形態と同様であるため、第一実施形態にて説明した全ての作用効果を得ることができる。
【０１３５】
したがって、本実施形態によれば、デザイン性を有し、マスクＭとのフィット感を高めると共に、マスクＭに対する着脱性能を向上させ得る、マスクカバー６００を得ることができる。
【０１３６】
＜その他の実施例等＞
なお、本考案は、上記実施形態に限定されるものではなく、本考案の趣旨に適合し得る範囲で必要に応じて種々の変更を加えて実施することも可能であり、それらはいずれも本考案の技術的範囲に含まれる。
【０１３７】
上記実施形態においては、マスクカバー本体部の外気接触面側に光触媒が担持されている場合について説明したが、本考案はこの構成に限定されず、必要に応じて、マスクカバー本体部の全体に光触媒が担持されていてもよい。
【０１３８】
また、上記実施形態においては、マスクカバー（マスクカバー本体部）に、「五本の水草のような模様」（図１および図２の装飾部３１，３２参照）が描かれる場合について説明したが、本考案はこの構成に限定されない。したがって、マスクカバーに描かれるデザインは、必要に応じて、文字や図形（幾何学模様、植物、動物等）等、どのようなデザインであってもよい。
【産業上の利用可能性】
【０１３９】
本考案は、マスクの表面側に着脱可能なマスクカバーに関するものである。具体的には、マスク全体を覆うと共にフィット感を高める構成を有し、その表面には光触媒コーティングが施されたマスクカバーに関するものである。また、このマスクカバーには、適宜、デザインが施されている。
【０１４０】
本考案にかかるマスクカバーは、以上のような構成を有するため、マスク使用者は、自分の好みのデザインを有するマスクカバーを選択して、マスクに装着することができる。
したがって、このようなマスクカバーであれば、花粉症の予防や風邪・インフルエンザ等の予防（および感染防止）のために、近年増加傾向にあるマスクの使用を、よりファッション性の高いものとすることができる。
【符号の説明】
【０１４１】
１…マスクカバー
１０…マスクカバー本体部
１１…マスクカバー左側部
１２…マスクカバー右側部
１３…マスクカバー中央部
２０…第一着脱部
２１…着脱本体部
２２…着脱間隙部
３１…左側装飾部
３２…右側装飾部
６０…第二着脱部
６１…着脱本体部
６２…着脱間隙部
８０…第三着脱部
８１…着脱本体部
８２…着脱間隙部
８３…着脱中央保持部
１００…マスクカバー
１１０…マスクカバー本体部
１１１…マスクカバー左側部
１１２…マスクカバー右側部
１１３…マスクカバー中央部
１１３Ａ…中央表面部
１１３Ｂ…中央折り返し部
２００…マスクカバー
２１３…中央空気孔部
３００…マスクカバー
３１１…左側空気孔部
３１２…右側空気孔部
４００…マスクカバー
４１０…マスクカバー本体部
４１０Ａ…本体部上部領域
４１０Ｂ…本体部下部領域
４１１…マスクカバー左側部
４１２…マスクカバー右側部
４１３…マスクカバー中央部
５００…マスクカバー
６００…マスクカバー
Ｇ…耳かけ部
Ｈ…使用者
Ｍ…マスク（マスク本体部）
【図１】
0003155845.tif 000003
【図２】
0003155845.tif 000004
【図３】
0003155845.tif 000005
【図４】
0003155845.tif 000006
【図５】
0003155845.tif 000007
【図６】
0003155845.tif 000008
【図７】
0003155845.tif 000009
【図８】
0003155845.tif 000010
【図９】
0003155845.tif 000011
【図１０】
0003155845.tif 000012